(57)【特許請求の範囲】
【請求項１】
ネットワーク通信及び近距離通信により受信した印刷データを印刷処理する複数の画像形成装置と、
前記複数の画像形成装置に対し、前記近距離通信による情報の送受信が可能な携帯端末と、
を備える画像形成システムであって、
前記携帯端末は、
前記複数の画像形成装置の内の第１の画像形成装置から、部数情報を含む印刷状況情報を取得し、
前記第１の画像形成装置から、前記印刷状況情報に対応する前記印刷データを取得し、
取得した前記部数情報を表示し、
前記複数の画像形成装置の内の第２の画像形成装置に、前記印刷データと前記部数情報を送信する、
ことを特徴とする画像形成システム。
【請求項２】
前記第１の画像形成装置及び前記第２の画像形成装置は、
前記ネットワーク通信を行うための通信部と、
前記携帯端末に対して前記近距離通信が可能な第１の近距離通信部と、
前記通信部から受信した前記印刷状況情報を前記印刷処理に利用可能な前記印刷データに変換する変換部と、
前記印刷データを格納する格納部と、
前記印刷データを含む印刷ジョブに対応する識別子を生成し、前記印刷データと前記識別子とを関連付けて管理する管理部と、
前記印刷データに基づいて前記印刷処理を行う印刷部と、
を有し、
前記携帯端末は、
前記第１の画像形成装置及び前記第２の画像形成装置に対して前記近距離通信が可能な第２の近距離通信部と、
前記携帯端末の画面表示及び操作を行う表示操作部と、
前記印刷状況情報及び前記印刷データを取得し、前記部数情報を前記表示操作部に表示し、且つ、前記部数情報を送信する機能を有し、前記第１の画像形成装置及び前記第２の画像形成装置に対して前記近距離通信を行うための前記携帯端末上で動作するアプリケーションソフトと、
を有することを特徴とする請求項１記載の画像形成システム。
【請求項３】
前記アプリケーションソフトは、
前記第１の画像形成装置の前記印刷状況情報を取得するための第１の要求と、
前記第１の画像形成装置において前記印刷処理中の前記印刷データを前記第２の画像形成装置へ転送準備するために、前記印刷データを取得する第２の要求と、
前記第２の画像形成装置へ前記印刷データ及び前記部数情報を転送するための第３の要求と、
を生成することを特徴とする請求項２記載の画像形成システム。
【請求項４】
前記第１の画像形成装置は、
前記第１の要求を受信すると、
印刷中か又はアイドル中かを識別する印刷状態情報と、
前記印刷中のジョブの総部数情報と、
前記印刷状況情報としての、前記印刷中のジョブの印刷済み部数情報と、
を前記携帯端末へ送信することを特徴とする請求項３記載の画像形成システム。
【請求項５】
前記第２の要求は、
前記ネットワーク通信を利用したネットワーク転送、又は、前記近距離通信を利用した近距離転送のいずれか１つを指示する第１の転送情報と、
転送部数を指示する前記部数情報と、
を含むことを特徴とする請求項３又は４記載の画像形成システム。
【請求項６】
前記第２の要求は、
前記ネットワーク通信を利用したネットワーク転送、前記近距離通信を利用した近距離転送、又は、自動転送のいずれか１つを指示する第１の転送情報と、
転送部数を指示する前記部数情報と、
を含むことを特徴とする請求項３又は４記載の画像形成システム。
【請求項７】
前記第２の要求は、
自動転送の場合の、転送部数を指示する前記部数情報を含むことを特徴とする請求項３又は４記載の画像形成システム。
【請求項８】
前記第１の画像形成装置は、
前記第２の要求を受信すると、
前記第１の転送情報が前記ネットワーク転送の場合には、
自身のインターネット・プロトコル・アドレスと印刷中のジョブの前記識別子を、前記携帯端末へ送信し、
前記第１の転送情報が前記近距離転送の場合には、
前記印刷処理可能な前記印刷データを、前記携帯端末へ送信する、
ことを特徴とする請求項５記載の画像形成システム。
【請求項９】
前記第１の画像形成装置は、
前記第２の要求を受信すると、
前記第１の転送情報が前記ネットワーク転送の場合には、
自身のインターネット・プロトコル・アドレスと、印刷中のジョブの前記識別子と、を前記携帯端末へ送信し、
前記第１の転送情報が前記近距離転送の場合には、
前記印刷処理可能な前記印刷データを、前記携帯端末へ送信し、
前記第１の転送情報が自動転送の場合には、
前記自身のインターネット・プロトコル・アドレスと、前記印刷中のジョブの前記識別子と、前記印刷処理可能な前記印刷データと、を前記携帯端末へ送信する、
ことを特徴とする請求項６記載の画像形成システム。
【請求項１０】
前記第１の画像形成装置は、
前記第２の要求を受信すると、
自身のインターネット・プロトコル・アドレスと、印刷中のジョブの前記識別子と、前記印刷処理可能な前記印刷データと、を前記携帯端末へ送信する、
ことを特徴とする請求項７記載の画像形成システム。
【請求項１１】
前記第３の要求は、
前記ネットワーク通信を利用したネットワーク転送、又は、前記近距離通信を利用した近距離転送のいずれか１つを指示する第２の転送情報を含み、更に、
前記第２の転送情報が前記ネットワーク転送の場合には、
転送する部数を指示する前記部数情報と、
転送元装置のインターネット・プロトコル・アドレスと、
転送対象となる印刷ジョブの識別子と、
を含み、
前記第２の転送情報が前記近距離転送の場合には、
前記部数情報と、
前記印刷データと、
を含むことを特徴とする請求項３又は４記載の画像形成システム。
【請求項１２】
前記第３の要求は、
前記ネットワーク通信を利用したネットワーク転送、前記近距離通信を利用した近距離転送、又は自動転送のいずれか１つを指示する第２の転送情報を含み、更に、
前記第２の転送情報が前記ネットワーク転送の場合には、
転送部数を指示する前記部数情報と、
転送元装置のインターネット・プロトコル・アドレスと、
転送対象となる印刷ジョブの識別子と、
を含み、
前記第２の転送情報が前記近距離転送の場合には、
前記部数情報と、
前記印刷データと、
を含み、
前記第２の転送情報が前記自動転送の場合には、
前記部数情報と、
前記転送元装置のインターネット・プロトコル・アドレスと、
前記転送対象となる印刷ジョブの識別子と、
前記印刷データと、
を含む、
ことを特徴とする請求項３又は４記載の画像形成システム。
【請求項１３】
前記第３の要求は、
転送部数を指示する前記部数情報と、
転送元装置のインターネット・プロトコル・アドレスと、
転送対象となる印刷ジョブの識別子と、
前記印刷データと、
を含むことを特徴とする請求項３又は４記載の画像形成システム。
【請求項１４】
前記第２の画像形成装置は、
前記第３の要求を受信すると、
前記第２の転送情報が前記ネットワーク転送の場合には、
前記インターネット・プロトコル・アドレスに対して前記印刷データを送信するよう要求し、
受信した前記印刷データを前記部数情報が示す部数分印刷を行い、
前記第２の転送情報が前記近距離転送の場合には、
前記第３の要求に含まれた前記印刷データを前記部数情報が示す前記部数分印刷を行う、
ことを特徴とする請求項１１記載の画像形成システム。
【請求項１５】
前記第２の画像形成装置は、
前記第３の要求を受信すると、
前記第２の転送情報が前記ネットワーク転送の場合には、
前記インターネット・プロトコル・アドレスに対して前記印刷データを送信するよう要求し、
受信した前記印刷データを前記部数情報が示す部数分印刷を行い、
前記第２の転送情報が前記近距離転送の場合には、
前記第３の要求に含まれた前記印刷データを前記部数情報が示す前記部数分印刷を行い、
前記第２の転送情報が前記自動転送の場合には、
前記第３の要求に応じて自動的に前記部数分印刷を行う、
ことを特徴とする請求項１２記載の画像形成システム。
【請求項１６】
前記第２の画像形成装置は、
前記第３の要求を受信すると、
前記第３の要求に応じて自動的に、受信した前記印刷データを前記部数分印刷を行う、
ことを特徴とする請求項１３記載の画像形成システム。
【発明の詳細な説明】
【技術分野】
【０００１】
本発明は、画像形成装置及び携帯端末を備える画像形成システムに関するものである。
【背景技術】
【０００２】
従来、プリンタや複合機（Multifunction  Peripheral、以下「ＭＦＰ」という。）等の画像形成装置で大量の印刷を行う場合、複数の画像形成装置で印刷を分散処理するタンデム印刷（これは「分散印刷」とも言われる。）という機能があった。一般的に、タンデム印刷とは、印刷開始時に指示するが、特許文献１のように、印刷指示後にネットワーク接続された画像形成装置を検索し、後からタンデム印刷を指示することで、印刷データの一部を転送し、タンデム印刷を行う技術が提案されている。
【先行技術文献】
【特許文献】
【０００３】
【特許文献１】特開２０１０−２０８２１０号公報
【発明の概要】
【発明が解決しようとする課題】
【０００４】
しかしながら、特許文献１に記載された従来の画像形成システムでは、ネットワーク接続された画像形成装置間で印刷データの転送を行うことにより、タンデム印刷を行うことができるが、ローカルエリア接続されたローカル画像形成装置を利用したタンデム印刷は、指示することができない。そのため、ネットワーク接続が許可されない安全（セキュア）な環境では、動的なタンデム印刷を利用することができない、という課題があった。
【課題を解決するための手段】
【０００５】
本発明は、従来の課題を解決するために、近年飛躍的に普及しているスマートフォンやタブレット端末に代表される携帯端末（モバイル端末）に一般的に搭載されている近距離無線通信（Near  Field  Communication、以下「ＮＦＣ」という。）を利用して、印刷データの転送に必要な情報を携帯端末へ転送し、別の画像形成装置へ印刷データの一部若しくは全てを転送するようにしている。ＮＦＣは、ＩＳＯ／ＩＥＣ１８０９２として規格化されている近距離無線通信の国際標準の１つである（参照：ｈｔｔｐ：／／ｗｗｗ．ｎｆｃ−ｆｏｒｕｍ．ｏｒｇ／）。
【０００６】
即ち、本発明の画像形成システムでは、ネットワーク通信及び近距離通信により受信した印刷データを印刷処理する複数の画像形成装置と、前記複数の画像形成装置に対し、前記近距離通信による情報の送受信が可能な携帯端末と、を備える画像形成システムであって、前記携帯端末は、前記複数の画像形成装置の内の第１の画像形成装置から、部数情報を含む印刷状況情報を取得し、前記第１の画像形成装置から、前記印刷状況情報に対応する前記印刷データを取得し、取得した前記印刷部数を表示し、前記複数の画像形成装置の内の第２の画像形成装置に、前記印刷データと前記部数情報を送信する、ことを特徴とする。
【発明の効果】
【０００７】
本発明の画像形成システムによれば、近距離通信としてのＮＦＣ通信を利用して、印刷データの転送に必要な印刷情報を携帯端末へ転送し、別の画像形成装置へ印刷データの一部若しくは全てを転送するようにしている。そのため、接続形式によらず、動的にタンデム印刷を指示することが可能になり、利便性が向上する。
【図面の簡単な説明】
【０００８】
【図１】図１は、本発明の実施例１の画像形成システムにおける図２中のＭＦＰ１０−１及び携帯端末３０を示す構成図である。
【図２】図２は、本発明の実施例１における画像形成システムを示す概略の環境構成図である。
【図３】図３は、図２中のＭＦＰ１０−１及び携帯端末３０を示す外観図である。
【図４】図４は、ＭＦＰ１０−１の印刷状態を取得するための印刷状態取得用ＮＦＣデータテーブルを示す図である。
【図５】図５は、印刷データの転送に利用するための印刷データ転送用ＮＦＣデータテーブルを示す図である。
【図６】図６は、図１の携帯端末３０内のアプリケーション４０の処理を示すフローチャートである。
【図７】図７は、図６のアプリケーションソフト（以下単に「アプリケーション」という。）４０の処理の際の画面遷移図である。
【図８】図８は、図２の携帯端末３０を利用してＭＦＰ１０−１からＭＦＰ１０−２へ印刷データを転送する際のデータのやり取りを示すシーケンス図である。
【図９】図９は、図２の携帯端末３０を利用してＭＦＰ１０−１からＭＦＰ１０−３へ印刷データを転送する際のデータのやり取りを示すシーケンス図である。
【図１０】図１０は、図１のＭＦＰ１０−１内のプリンタ部２０の基本動作の処理を示すフローチャートである。
【図１１】図１１は、図１のＭＦＰ１０−１がＮＦＣ部１２からデータを受信した時の処理を示すフローチャートである。
【図１２】図１２は、図１１中のステップＦ２３０の詳細な処理を示すフローチャートである。
【図１３】図１３は、図１１中のステップＦ２５０の詳細な処理を示すフローチャートである。
【図１４】図１４は、本発明の実施例２における印刷データの転送に利用するための印刷データ転送用ＮＦＣデータテーブルを示す図である。
【図１５】図１５は、本発明の実施例２における携帯端末３０内のアプリケーション４０の処理の際の画面遷移図である。
【図１６】図１６は、図１１中のステップＦ２３０における実施例２の詳細な処理を示すフローチャートである。
【図１７】図１７は、図１１中のステップＦ２５０における実施例２の詳細な処理を示すフローチャートである。
【図１８】図１８は、本発明の実施例３における印刷データの転送に利用するための印刷データ転送用ＮＦＣデータテーブルを示す図である。
【図１９】図１９は、本発明の実施例３における携帯端末３０内のアプリケーション４０の処理の際の画面遷移図である。
【図２０】図２０は、図１１中のステップＦ２３０における実施例３の詳細な処理を示すフローチャートである。
【図２１】図２１は、図１１中のステップＦ２５０における実施例３の詳細な処理を示すフローチャートである。
【発明を実施するための形態】
【０００９】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１０】
（実施例１の構成）
【００１１】
図２は、本発明の実施例１における画像形成システムを示す概略の環境構成図である。
この画像形成システムは、インターネット等のネットワーク１を介して、画像形成装置としての複数のＭＦＰ１０（＝第１の画像形成装置としてのＭＦＰ１０−１、及び第２の画像形成装置としてのＭＦＰ１０−２）と携帯端末３０とが、有線若しくは無線で相互に接続されている。第２の画像形成装置としての他のＭＦＰ１０−３は、ネットワーク１に接続されずに、ローカルエリア接続されている。複数のＭＦＰ１０（＝１０−１，１０−２，１０−３）は、同一の構成である。
【００１２】
図３は、図２中のＭＦＰ１０−１及び携帯端末３０を示す外観図である。
ＭＦＰ１０−１は、画像読み取りを行うスキャナ部１１と、印刷処理を行う画像形成部としてのプリンタ部２０等と、を有している。スキャナ部１１には、ＮＦＣ通信を行うためのＮＦＣモジュールであるＮＦＣ部１２と、ユーザが画面表示及び操作を行うための表示操作部としてのオペレーションパネル１３等と、が設けられている。
【００１３】
携帯端末３０は、画面表示及び操作を行うための表示操作部としてのタッチパネル３４と、ＮＦＣ通信を行うためのＮＦＣ部３３等と、を有している。
【００１４】
図１は、本発明の実施例１の画像形成システムにおける図２中のＭＦＰ１０−１及び携帯端末３０を示す構成図である。
【００１５】
ＭＦＰ１０−１は、スキャナ部１１を有し、このスキャナ部１１に、画像形成部としてのプリンタ部２０が接続されている。プリンタ部２０には、第１の近距離通信部としてのＮＦＣ部１２と、表示操作部としてのオペレーションパネル１３と、ネットワーク通信を行う通信部としてのローカル・エリア・ネットワーク部（以下「ＬＡＮ部」という。）１４と、が接続されている。
【００１６】
プリンタ部２０は、ＮＦＣ部１２を利用した近距離通信を制御するＮＦＣデータ通信部２１を有している。ＮＦＣデータ通信部２１には、ＮＦＣ通信による外部からの要求を処理するＮＦＣ制御部２２と、ＮＦＣ部１２を利用するためのデータ生成を行うＮＦＣ転送データ生成部２３と、が接続されている。
【００１７】
プリンタ部２０には、更に、スキャナ部１１から受信するスキャンイメージ、若しくはＬＡＮ部１４から受信する印刷情報としてのページ記述言語（Page  Description  Language；ＰＤＬ）データから印刷イメージの印刷データを生成する変換部としての印刷イメージ生成部２４を有している。印刷イメージ生成部２４には、印刷イメージの印刷データ等を格納（記憶）する格納部としてのデータ記憶部２５と、ＬＡＮ部１４やスキャナ部１１からデータを受信するデータ受信部２６と、生成された印刷イメージの印刷データを管理する管理部としてのジョブ管理部２７と、が接続されている。データ記憶部２５は、図示しないハードデスク（以下「ＨＤＤ」という。）や随時読み書き可能な半導体メモリ（以下「ＲＡＭ」という。）等で構成されている。ジョブ管理部２７には、ＮＦＣ制御部２２と、印刷イメージの印刷データから印刷処理を行う印刷部２８と、が接続されている。
【００１８】
携帯端末３０は、この携帯端末３０のソフトウェアの集合であるオペレーティングシステム（以下「ＯＳ」という。）３１と、印刷データ等を保存するためのデータ記憶部３２と、ＯＳ３１との間で送受信を行う第２の近距離通信部としてのＮＦＣ部３３と、表示操作部としてのタッチパネル３４と、を有している。データ記憶部３２は、図示しないＨＤＤやＲＡＭ等で構成されている。ＯＳ３１、データ記憶部３２、及びタッチパネル３４には、ＮＦＣ通信にて印刷データの転送指示を行うためのアプリケーション４０が接続されている。
【００１９】
アプリケーション４０は、ＮＦＣ部３３を利用したＮＦＣ通信を制御するＮＦＣデータ通信部４１と、データ記憶部３２に格納された印刷データを管理するデータ管理部４２と、を有している。ＮＦＣデータ通信部４１には、タッチパネル３４より入力された情報を取得する画面入力データ取得部４３と、アプリケーション４０の全体処理を制御するアプリケーション制御部４４と、が接続されている。更に、アプリケーション制御部４４には、データ管理部４２と、アプリケーション４０の画面を生成する画面生成部４５と、が接続されている。
【００２０】
（実施例１の動作）
【００２１】
図１〜図３と、図４〜図１３と、を用いて本実施例１の画像形成システムにおける動作を説明する。
【００２２】
画像形成システムの動作としては、ＭＦＰ１０−１からネットワーク接続されているネットワークプリンタであるＭＦＰ１０−２へ印刷データを転送する例と、ＭＦＰ１０−１からネットワーク接続されていない（即ち、ローカルエリア接続されている）ローカルプリンタであるＭＦＰ１０−３へ印刷データを転送する例と、の２つを説明する。
【００２３】
図４は、ＭＦＰ１０−１の印刷状態を取得するための印刷状態取得用ＮＦＣデータテーブルＤ１０，Ｄ２０〜Ｄ２３を示す図である。
【００２４】
印刷状態取得用ＮＦＣデータテーブルＤ１０，Ｄ２０，Ｄ２１，Ｄ２２，Ｄ２３の内、Ｄ１０は、携帯端末３０内のアプリケーション制御部４４で生成されるものであって、印刷情報を取得するための印刷情報取得要求識別子（４ｂｙｔｅ、例えば、０ｘＦＡ０００００ｌ）である。Ｄ２０，Ｄ２１，Ｄ２２，Ｄ２３は、ＭＦＰ１０−１内のプリンタ部２０で生成されるものである。Ｄ２０は、印刷情報取得要求識別子ＤＩ０を受信したＭＦＰ１０−１が印刷情報を返却するための印刷情報取得受諾識別子（４Ｂｙｔｅ、例えば、０ｘＦＢ０００００１）である。Ｄ２１は、印刷状況情報（つまり印刷状態情報）としての印刷状態を示すデータテーブルであり、「０」がアイドル状態、「１」が印刷中状態を示す。Ｄ２２は、部数情報である印刷済み部数情報としての印刷済み部数、Ｄ２３は、総部数情報としての総部数である。印刷情報を通知するためには、印刷情報取得受諾識別子Ｄ２０、及びデータテーブルＤ２１，Ｄ２２，Ｄ２３を利用する。
【００２５】
図５は、印刷データの転送に利用するための印刷データ転送用ＮＦＣデータテーブルＤ３０〜Ｄ３２，Ｄ４０，Ｄ４３，Ｄ４４，Ｄ４５，Ｄ５０〜Ｄ５５を示す図である。
【００２６】
印刷データ転送要求には、携帯端末３０内のアプルケーション４０で生成される転送準備用ＮＦＣデータテーブルＤ３０，Ｄ３１，Ｄ３２を利用する。Ｄ３０は、印刷データ転送要求識別子（４ｂｙｔｅ、例えば、０ｘＦＡ０００００２）である。Ｄ３１は、第１の転送情報としての転送モードであり、「０」がネットワークを利用した転送指示、「１」がＮＦＣを利用した転送指示である。Ｄ３２は、転送部数情報としての転送部数である。ＭＦＰ１０−１からＭＦＰ１０−２へ転送する場合は、ネットワーク転送であり、ＭＦＰ１０−１からＭＦＰ１０−３へ転送する場合は、ＮＦＣ転送になる。
【００２７】
転送準備受諾用ＮＦＣデータテーブルＤ４０，Ｄ４３、Ｄ４４は、ＭＦＰ１０−１内のプリンタ部２０で生成されるものである。その内、Ｄ４０は、印刷データ転送受諾識別子（４ｂｙｔｅ、例えば、０ｘＦＢ０００００２）である。Ｄ４３は、転送元装置のインターネット・プロトコル・アドレス（以下「ＩＰアドレス」という。）であり、Ｄ４４は、印刷ジョブに対応する識別子としての、転送対象となる印刷データに紐付いたジョブＩＤである。印刷データ転送要求の受諾には、ネットワーク転送の場合（Ｄ３１が「０」の場合）は、Ｄ４０，Ｄ４３，Ｄ４４を利用し、ＮＦＣ転送の場合（Ｄ３１が「１」の場合）は、Ｄ４０，Ｄ４５を利用する。
【００２８】
転送準備受諾用ＮＦＣデータテーブルＤ４０，Ｄ４５は、ＭＦＰ１０−１内のプリンタ部２０で生成されるものであって、その内、Ｄ４５は、印刷データそのものである。
【００２９】
ネットワーク転送用の印刷データ転送指示用ＮＦＣデータテーブルＤ５０，Ｄ５１，Ｄ５２，Ｄ５３，５４は、携帯端末３０内のアプルケーション４０で生成されるものである。その内、Ｄ５０は、印刷データ転送指示識別子（４ｂｙｔｅ、例えば、０ｘＦＡ０００００３）である。Ｄ５１は、第２の転送情報としての転送モードであり、「０」がネットワークを利用した転送指示、「１」がＮＦＣ転送を利用した転送指示であり、転送モードＤ３１で指定したものと同一である。Ｄ５２は、転送部数情報としての転送部数であり、部数Ｄ３２で指定したものと同一である。Ｄ５３は、転送元装置のＩＰアドレスであり、ＩＰアドレスＤ４３と同一である。Ｄ５４は、転送対象となる印刷データに紐付いたジョブＩＤであり、ジョブＩＤのＤ４４と同一である。
【００３０】
ＮＦＣ転送用の印刷データ転送指示用ＮＦＣデータテーブルＤ５０，Ｄ５１，Ｄ５２，Ｄ５５は、携帯端末３０内のアプルケーション４０で生成されるものであって、その内、Ｄ５５は、印刷データそのものであり、印刷データＤ４５と同一である。
【００３１】
印刷データの転送指示には、ネットワーク転送の場合（転送モードＤ３１が「０」の場合）は、データテーブルＤ５０，Ｄ５１，Ｄ５２，Ｄ５３，Ｄ５４を利用し、ＮＦＣ転送の場合（転送モードＤ３１が「１」の場合）は、データテーブルＤ５０，Ｄ５１，Ｄ５２，Ｄ５５を利用する。
【００３２】
印刷データ転送指示受諾用ＮＦＣデータテーブルＤ６０は、ＭＦＰ１０−１内のプリンタ部２０で生成されるものであって、印刷データ転送受諾識別子（４ｂｙｔｅ、例えば、０ｘＦＢ０００００３）である。印刷データ転送指示識別子Ｄ５０を送信した装置に対して、印刷データ転送受諾識別子Ｄ６０により、要求を受諾したことを通知する。
【００３３】
図６は、図１の携帯端末３０内のアプリケーション４０の処理を示すフローチャートである。図６の処理では、ステップＦ１０〜Ｆ９７の処理が行われる。
【００３４】
図７は、図６のアプリケーション４０の処理の際の画面遷移図である。図７には、初期画面Ａ５、アイドル中画面Ａ７、転送方式選択画面Ａ１０、部数指定選択画面Ａ２０、部数指定画面Ａ３０、部数決定画面Ａ４０、転送準備完了画面Ａ５０、及び、転送完了画面Ａ６０が示されている。
【００３５】
図６及び図７を用いてアプリケーション４０の処理を説明する。
【００３６】
図６の処理が開始され、ステップＦ１０において、ユーザが携帯端末３０上のアプリケーション４０を起動すると、アプリケーション制御部４４の制御により、画面生成部４５が図７の初期画面Ａ５を生成し、ＭＦＰ１０−１のＮＦＣ部１２にタッチされるのを待つ。
【００３７】
ステップＦ１２において、ユーザが携帯端末３０のＮＦＣ部３３を、ＭＦＰ１０−１のＮＦＣ部１２にタッチすると、ＯＳ３１よりＮＦＣデータ通信部４１へ通知が行われる。この通知を受けて、アプリケーション制御部４４は、印刷情報取得用のＮＦＣデータテーブル（図４の印刷情報取得要求識別子ＤＩ０）を作成し、ＮＦＣデータ通信部４１を利用してＭＦＰ１０−１へ送信する。
【００３８】
ステップＦ１５において、アプリケーション４０は、印刷情報受諾ＮＦＣデータテーブル（図４の印刷情報取得受諾識別子Ｄ２０、印刷状態Ｄ２１、印刷済み部数Ｄ２２、及び総部数Ｄ２３）を受信する。
【００３９】
ステップＦ２０において、アプリケーション制御部４４は、印刷状態Ｄ２１を確認し、印刷状態Ｄ２１がアイドル（Ｄ２１が「０」）の場合、ステップＦ２５へ進む。ステップＦ２５において、アプリケーション制御部４４は、画面生成部４５を利用して、タッチパネル３４に、図７のアイドル中画面Ａ７を表示し、アプリケーション４０を終了する。
【００４０】
ステップＦ２０において、印刷状態Ｄ２１が印刷中（Ｄ２１が「１」）の場合、ステップＦ３０へ進む。ステップＦ３０において、アプリケーション制御部４４は、画面生成部４５を利用して、タッチパネル３４に、図７の転送方式選択画面Ａ１０を表示する。ユーザは、ネットワーク転送の場合、転送方式選択画面Ａ１０中の「ネットワークプリンタへ移動する」ボタンＡｌｌを押下し、ＮＦＣ転送の場合、転送方式選択画面Ａ１０中の「ローカルプリンタへ移動する」ボタンＡ１２を押下する。
【００４１】
ステップＦ３５において、アプリケーション制御部４４は、ボタン押下イベントを画面入力データ取得部４３より受け取ると、どちらが選択されたかをデータ管理部４２に記憶（保存）する。ステップＦ４０において、アプリケーション制御部４４は、画面生成部４５を利用して、タッチパネル３４に、図７の部数指定選択画面Ａ２０を表示する。
【００４２】
ステップＦ４５において、アプリケーション制御部４４は、部数指定選択画面Ａ２０中の部数転送が選択（「全データ移動」ボタンＡ２１が押下）された場合（Ｆ４５：全て）、ステップＦ５０において、転送部数を全ての部数とし、ステップＦ７０へ進む。ステップＦ４５において、部数指定選択画面Ａ２０中の半分部数転送が選択（「残り半分データ移動」ボタンＡ２２が押下）された場合（Ｆ４５：半分）、転送部数を部数の半分とし、ステップＦ７０へ進む。ステップＦ４５において、部数指定選択画面Ａ２０中の部数指定が選択（「部数を指定して移動」ボタンＡ２３が押下）された場合（Ｆ４５：指定する）、ステップＦ６０へ進む。
【００４３】
ステップＦ６０において、アプリケーション制御部４４は、画面生成部４５を利用して、タッチパネル３４に、図７の部数指定画面Ａ３０を表示する。部数指定画面Ａ３０中の「部数」ボタンＡ５１を押下すると、部数を数字で入力することができる。ユーザは、部数を入力し、「決定」ボタンＡ５２を押下する。ステップＦ６５において、アプリケーション制御部４４は、画面入力データ取得部４３より部数を取得し、転送部数を取得した部数とする。
【００４４】
転送部数が決定すると、ステップＦ７０において、画面生成部４５は、タッチパネル３４に、図７の部数決定画面Ａ４０を表示する。
【００４５】
ステップＦ７５において、前記の画面状態で、ユーザが携帯端末３０のＮＦＣ部３３を、ＭＦＰ１０−１のＮＦＣ部１２にタッチすると、ＯＳ３１よりＮＦＣデータ通信部４１へ通知が行われる。この通知を受けて、アプリケーション制御部４４は、図５の転送準備用ＮＦＣデータテーブル（印刷データ転送要求識別子Ｄ３０、転送モードＤ３１、及び部数Ｄ３２）を生成し、ＮＦＣデータ通信部４１を利用して送信する。この転送準備用ＮＦＣデータテーブル（印刷データ転送要求識別子Ｄ３０、転送モードＤ３１、及び部数Ｄ３２）は、データ管理部４２に保存しておく。転送モードＤ３１は、ステップＦ３５で一時記憶している転送モード、部数Ｄ３２は、ステップＦ５０，Ｆ５５，Ｆ６５のいずれか１つのフローで決定した部数である。
【００４６】
ステップＦ８０において、アプリケーション制御部４４は、ＭＦＰ１０−１より、図５の転送準備受諾用ＮＦＣデータテーブル（印刷データ転送受諾識別子Ｄ４０、ＩＰアドレスＤ４３、及びジョブＩＤのＤ４４）を受信すると、データ管理部４２に保存する。転送モードＤ３１がネットワーク（「０」）の場合は、印刷データ転送受諾識別子Ｄ４０、ＩＰアドレスＤ４３、及びジョブＩＤのＤ４４を受信し、転送モードＤ３１がＮＦＣ（「１」）の場合は、印刷データ転送受諾識別子Ｄ４０及び印刷データＤ４５を受信する。
【００４７】
ステップＦ８５において、画面生成部４５は、タッチパネル３４に、図７の転送準備完了画面Ａ５０を表示し、ＭＦＰ１０−２若しくはＭＦＰ１０−３のＮＦＣ部１２にタッチされるのを待ち、ステップＦ９０へ進む。
【００４８】
ステップＦ３０でネットワーク転送を選択した場合（図７の転送方式選択画面Ａ１０で、「ネットワークプリンタへ移動する」ボタンＡｌ１を選択）、ユーザは、携帯端末３０のＮＦＣ部３３を、ＭＦＰ１０−２のＮＦＣ部１２にタッチする。このタッチにより、ステップＦ９０において、ＯＳ３１によってＮＦＣデータ通信部４１へ通知が行われる。この通知を受けて、アプリケーション制御部４４は、データ管理部４２に保存された転送モードＤ３１、部数Ｄ３２、ＩＰアドレスＤ４３、及びジョブＩＤのＤ４４から、図５のネットワーク転送用の印刷データ転送指示用ＮＦＣデータテーブル（印刷データ転送指示識別子Ｄ５０、転送モードＤ５１、部数Ｄ５２、ＩＰアドレスＤ５３、及びジョブＩＤのＤ５４）を生成し、ＮＦＣデータ通信部４１を利用して送信し、ステップＦ９５へ進む。
【００４９】
ステップＦ３０でＮＦＣ転送を選択した場合（図７の転送方式選択画面Ａ１０で、「ローカルプリンタへ移動する」ボタンＡ１２を選択）、ユーザは、携帯端末３０のＮＦＣ部３３を、ＭＦＰ１０−３のＮＦＣ部１２にタッチする。このタッチにより、ステップＦ９０において、ＯＳ３１によってＮＦＣデータ通信部４１へ通知が行われる。この通知を受けて、アプリケーション制御部４４は、データ管理部４２に保存された転送モードＤ３１、部数Ｄ３２、及び印刷データＤ４５から、図５のＮＦＣ転送用の印刷データ転送指示用ＮＦＣデータテーブル（印刷データ転送指示識別子Ｄ５０、転送モードＤ５１、部数Ｄ５２、及び印刷データＤ５５）を生成し、ＮＦＣデータ通信部４１を利用して送信し、ステップＦ９５へ進む。
【００５０】
ステップＦ９５において、アプリケーション４０は、図５の印刷データ転送指示受諾用ＮＦＣデータテーブル（印刷データ転送受諾識別子Ｄ６０）を受信する。ステップＦ９７において、画面生成部４５は、タッチパネル３４に、図７の転送完了画面Ａ６０を表示し、アプリケーション４０の処理を終了する。
【００５１】
図８は、図２の携帯端末３０を利用して、第１の画像形成装置としてのＭＦＰ１０−１から、第２の画像形成装置としてのＭＦＰ１０−２へ、印刷データをネットワーク経由で転送する際のデータのやり取りを示すシーケンス図である。このシーケンス図では、ステップＳ１０〜Ｓ１００の処理が行われる。
【００５２】
図８のステップＳ１０において、携帯端末３０のＮＦＣ部３３をＭＦＰ１０−１のＮＦＣ部１２にかざし、ＮＦＣ接続要求を行う。ステップＳ１５において、ＭＦＰ１０−１は、接続ＯＫを返却する。接続できたら、ステップＳ２０において、携帯端末３０は、第１の要求としての印刷情報取得要求を行う（図４のＤ１０を送信）。ステップＳ２５において、携帯端末３０は、印刷情報を取得する（図４のＤ２０〜Ｄ２３を受信）。転送部数を決定した後、ステップＳ３０において、再度、携帯端末３０のＮＦＣ部３３をＭＦＰ１０−１のＮＦＣ部１２にかざし、接続要求を行う。ステップ３５において、ＭＦＰ１０−１は、接続ＯＫを返却する。
【００５３】
接続後、ステップＳ４０において、携帯端末３０は、ネットワーク経由でデータ転送を行うための第２の要求としての印刷データ転送準備要求を行い（図５のＤ３０〜Ｄ３２を送信、Ｄ３１＝「０」）、ステップＳ４５において、印刷データ転送準備受諾をＭＦＰ１０−１より受ける（図５のＤ４０，Ｄ４３，Ｄ４４を受信）。
【００５４】
続いて、ステップＳ５０において、携帯端末３０のＮＦＣ部３３を印刷データの転送先であるＭＦＰ１０−２のＮＦＣ部１２にかざし、ＮＦＣ接続要求を行う。ステップＳ５５において、ＭＦＰ１０−３は、接続ＯＫを返却する。接続後、ステップＳ６０において、携帯端末３０は、第３の要求としての印刷データ転送指示を行う（図５のＤ５０〜Ｄ５４を送信、Ｄ５１＝「０」）。ステップＳ６５において、携帯端末３０は、印刷データ転送指示受諾をＭＦＰ１０−２より受ける（図５のＤ６０を受信）。
【００５５】
ステップＳ７０において、ＭＦＰ１０−２は、ＭＦＰ１０−１へネットワーク経由で印刷データ要求を行う。ステップＳ７５において、ＭＦＰ１０−２は、ＭＦＰ１０−１より印刷イメージの印刷データを受信する。ステップＳ１００において、ＭＦＰ１０−２は、受信した印刷イメージの印刷データを印刷する。
【００５６】
図９は、図２の携帯端末３０を利用して第１の画像形成装置としてのＭＦＰ１０−１から、第２の画像形成装置としてのＭＦＰ１０−３へ、印刷データをＮＦＣ通信によって転送する際のデータのやり取りを示すシーケンス図である。このシーケンス図では、ステップＳ１０〜Ｓ１０５の処理が行われる。
【００５７】
図９のステップＳ１０において、携帯端末３０のＮＦＣ部３３をＭＦＰ１０−１のＮＦＣ部１２にかざし、ＮＦＣ接続要求を行う。ステップＳ１５において、ＭＦＰ１０−１は、接続ＯＫを返却する。接続後、ステップＳ２０において、携帯端末３０は、第１の要求としての印刷情報取得要求を行う（図４のＤ１０を送信）。ステップＳ２５において、携帯端末３０は、印刷情報を取得する（図４のＤ２０〜Ｄ２３を受信）。
【００５８】
転送部数を決定した後、ステップＳ３０において、再度、携帯端末３０のＮＦＣ部３３をＭＦＰ１０−１のＮＦＣ部１２にかざし、接続要求を行う。ステップＳ３５において、ＭＦＰ１０−１は、接続ＯＫを返却する。接続後、ステップＳ８０において、携帯端末３０は、ＮＦＣ経由でデータ転送を行うための第２の要求としての印刷データ転送準備要求を行う（図５のＤ３０〜Ｄ３２を送信、Ｄ３１＝「１」）。ステップＳ８５において、携帯端末３０は、印刷データ転送準備受諾をＭＦＰ１０−１より受ける（図５のＤ４０，Ｄ４５を受信）。
【００５９】
続いて、ステップＳ８６において、携帯端末３０のＮＦＣ部３３を印刷データの転送先であるＭＦＰ１０−３のＮＦＣ部１２にかざし、接続要求を行う。ステップＳ８７において、ＭＦＰ１０−３は、接続ＯＫを携帯端末３０へ返却する。接続後、ステップＳ９０において、携帯端末３０は、ＭＦＰ１０−３へ、第３の要求としての印刷データ転送指示を行う（図５のＤ５０，Ｄ５１，Ｄ５２，Ｄ５５を送信、Ｄ５１＝「１」）。ステップＳ９５において、携帯端末３０は、印刷データ転送指示受諾をＭＦＰ１０−３より受ける（図５のＤ６０を受信）。ステップＳ１０５において、ＭＦＰ１０−３は、ＮＦＣ通信経由で受信した印刷イメージの印刷データを印刷する。
【００６０】
図１０は、図１のＭＦＰ１０−１内のプリンタ部２０における基本動作の処理を示すフローチャートである。このフローチャートでは、ステップＦ１００〜Ｆ１１５の処理が行われる。
【００６１】
図１０のステップＦ１００において、プリンタ部２０内のデータ受信部２６は、ＬＡＮ部１４若しくはスキャナ部１１よりデータを受信し、ステップＦ１０１において、データ種別を確認する。データ種別がスキャンデータ若しくはＰＤＬデータである場合、ステップＦ１０４において、受信データが印刷イメージ生成部２４へ渡され、印刷イメージ生成部２４は、印刷イメージの印刷データを生成する。生成された印刷イメージの印刷データは、ステップＦ１０５において、ジョブ管理部２７によって採番されたジョブＩＤと共にデータ記憶部２５に格納される。ジョブ管理部２７は、格納された印刷イメージの印刷データを印刷部２８へ渡し、ステップＦ１０６において、印刷部２８が印刷を行う。
【００６２】
ステップＦ１１０において、ジョブ管理部２７は、ジョブ完了かどうかを判定し、完了していない場合（Ｎ）、ステップＦ１０４へ戻り、次のページの印刷イメージ生成を行う。ステップＦ１１０において、完了の場合（Ｙ）、ステップＦ１１１において、部数印刷が完了したかどうかを確認する。
【００６３】
ステップＦ１１１において、部数印刷が完了していない場合（Ｎ）、ステップＦ１１２において、１ページ印刷を行い、ステップＦ１１１へ戻り、再度、部数印刷が完了したかどうかを確認する。
【００６４】
ステップＦ１１１において、部数印刷が完了した場合（Ｙ）、ステップＦ１１３において、印刷ジョブがロックされているか確認する。ステップＦ１１３において、印刷ジョブがロックされていない場合（Ｎ）、ステップＦ１１５において、印刷ジョブに関連する全ての印刷イメージの印刷データをデータ記憶部２５より削除し、処理を終了する。
【００６５】
ステップＦ１１３において、印刷ジョブがロックされている場合（Ｙ）、ステップＦ１１４において、ロックの解除を待つ。ロックが解除されると、ステップＦ１１５において、印刷ジョブに関連する全ての印刷イメージの印刷データをデータ記憶部２５より削除し、プリンタ部２０の処理を終了する。
【００６６】
ステップＦ１０１にて、印刷データ送信要求を受信した場合、ステップＦ１０７において、ジョブ管理部２７は、指定されたジョブＩＤに該当する印刷イメージの印刷データをデータ記憶部２５より検索し、ステップＦ１０８において、要求元に印刷イメージの印刷データを送信する。送信完了後、ステップＦ１０９において、指定されたジョブＩＤに該当する印刷ジョブのロックを解除し、プリンタ部２０の処理を終了する。なお、ステップＦ１０９において、印刷ジョブの完了後に、その印刷ジョブを削除することは可能である。
【００６７】
図１１は、図１のＭＦＰ１０−１がＮＦＣ部１２からデータを受信した時の処理を示すフローチャートである。このフローチャートでは、ステップＦ２００〜Ｆ２６０の処理が行われる。
【００６８】
図１１のステップＦ２００において、ＭＦＰ１０−１内のＮＦＣ制御部２２は、ＮＦＣデータ通信部２１よりＮＦＣデータを受信すると、ステップＦ２０５において、受信したＮＦＣデータの種別を確認する。
【００６９】
ステップＦ２０５において、受信したＮＦＣデータが情報取得データであった場合、ステップＦ２１０において、ＮＦＣ制御部２２は、ジョブ管理部２７に現在の印刷状況を確認し、この確認結果から、ＮＦＣ転送データ生成部２３を利用して印刷状況通知用データテーブルを作成する。作成したデータテーブルを、ステップＦ２６０においてＮＦＣ送信し、ＮＦＣデータの受信処理を終了する。
【００７０】
ステップＦ２０５において、受信したＮＦＣデータが印刷データ転送準備要求データであった場合、ステップＦ２３０において、ＮＦＣ制御部２２は、ＮＦＣ転送データ生成部２３を利用して転送データ作成処理を行い、ＮＦＣデータの受信処理を終了する。
【００７１】
ステップＦ２０５において、受信したＮＦＣデータが印刷データ転送指示データであった場合、ＮＦＣ制御部２２は、ＮＦＣデータ通信部２１を利用して転送データ受信処理を行い、ＮＦＣデータの受信処理を終了する。
【００７２】
図１２は、図１１中のステップＦ２３０（転送データ作成処理）の詳細な処理を示すフローチャートである。このフローチャートでは、ステップＦ２３１〜Ｆ２３９の処理が行われる。
【００７３】
図１２のステップＦ２３１において、図１のプリンタ部２０内のジョブ管理部２７は、現在の印刷動作を停止する。ステップＦ２３２において、ＮＦＣ制御部２２は、転送先がネットワークプリンタか、或いはローカルプリンタかを判定する。
【００７４】
ステップＦ２３２の判定結果がネットワークプリンタの場合、ステップＦ２３３において、ＮＦＣ制御部２２は、印刷中のジョブＩＤを取得し、ステップＦ２３４において、ＮＦＣ転送データ生成部２３を利用してネットワーク転送用データテーブルＤ４０，Ｄ４３，Ｄ４４を作成する。
【００７５】
ステップＦ２３５において、ＮＦＣ制御部２２は、転送する分の部数を現在の印刷ジョブから減らし、ステップＦ２３６において、転送対象の印刷ジョブをロックする。印刷ジョブの完了後には、印刷ジョブを削除することができない。ステップＦ２３７において、ＮＦＣ制御部２２は、ステップＦ２３４で作成されたデータテーブルを、ＮＦＣデータ通信部２１を利用してＮＦＣデータ送信する。ステップＦ２３９において、印刷部２８は、印刷を再開し、転送データ作成処理を終了する。
【００７６】
ステップＦ２３２において、転送先がローカルプリンタの場合、ステップＦ２３８において、ＮＦＣ制御部２２は、ＮＦＣ転送データ生成部２３を利用してローカル転送用のデータテーブルＤ４０，Ｄ４５を作成し、ステップＦ２３５へ進む。
【００７７】
その後、前記の処理と同様に、ステップＦ２３５において、ＮＦＣ制御部２２は、転送する分の部数を現在の印刷ジョブから減らし、ステップＦ２３６において、転送対象の印刷ジョブをロックする。ステップＦ２３７において、ＮＦＣ制御部２２は、ステップＦ２３８で作成されたデータテーブルを、ＮＦＣデータ通信部２１を利用してＮＦＣデータ送信する。ステップＦ２３９において、印刷部２８は、印刷を再開し、転送データ作成処理を終了する。
【００７８】
図１３は、図１１中のステップＦ２５０（転送データ受信処理）の詳細な処理を示すフローチャートである。このフローチャートでは、ステップＦ２５１〜Ｆ２５８の処理が行われる。
【００７９】
図１３のステップＦ２５１において、ＮＦＣ制御部２２は、ＮＦＣ転送データ生成部２３を利用して応答用ＮＦＣデータを作成し、ステップＦ２５２において、ＮＦＣデータ通信部２１を利用してＮＦＣデータを送信する。ステップＦ２５３において、ＮＦＣ制御部２２は、転送方式がネットワーク経由か或いはＮＦＣ経由かを判定する。
【００８０】
ステップＦ２５３の判定結果がネットワーク経由の場合、ステップＦ２５４において、ＮＦＣ制御部２２は、ＮＦＣデータ通信部２１を利用して、指定ＩＰへ印刷イメージの印刷データの送信を要求する。ステップＦ２５５において、ＮＦＣ制御部２２は、ＮＦＣデータ通信部２１を利用して、印刷イメージの印刷データを受信する。
【００８１】
ステップ２５７において、ＮＦＣ制御部２２は、受信した印刷イメージの印刷データをデータ記憶部２５に保存する。ステップＦ２５８において、印刷部２８は、印刷を開始し、転送データ受信処理を終了する。
【００８２】
ステップＦ２５３の判定結果がＮＦＣ経由の場合、ステップＦ２５６において、ＮＦＣ制御部２２は、図１１のステップＦ２００で受信されたＮＦＣ受信データから印刷イメージの印刷データを取得し、ステップＦ２５７へ進む。前記の処理と同様に、ステップＦ２５７において、印刷イメージの印刷データをデータ記憶部２５に保存し、ステップＦ２５８において、印刷部２８が印刷を開始し、転送データ受信処理を終了する。
【００８３】
（実施例１の効果）
【００８４】
本実施例１によれば、ネットワーク通信及びＮＦＣ通信により受信した印刷データＤ４５，Ｄ５５を印刷処理する複数のＭＦＰ１０（＝１０−１，１０−２，１０−３）と、これらの複数のＭＦＰ１０に対し、ＮＦＣ通信による情報の送受信が可能な携帯端末３０と、を備える画像形成システムであって、前記携帯端末３０は、複数のＭＦＰ１０の内のＭＦＰ１０−１から、部数情報を含む印刷状況情報（Ｄ２２）を取得し、そのＭＦＰ１０−１から、印刷状況情報（Ｄ２２）に対応する印刷データＤ４５を取得し、ＭＦＰ１０−３に、印刷データＤ５５と部数情報（Ｄ５２）を送信している。
【００８５】
これにより、ＮＦＣ通信を利用して印刷データＤ４５の転送を行うことができるため、ネットワーク１に接続されている場合でも、或いは接続されていない場合でも、印刷データＤ４５の転送を行って、動的なタンデム印刷を行うことが可能となる。更に、印刷中に消耗品切れ等の理由により印刷が停止してしまった場合でも、動作可能な別のＭＦＰ１０へ印刷データＤ４５を簡単に転送することができるため、利便性が向上する。
【実施例２】
【００８６】
（実施例２の構成）
【００８７】
実施例１では、転送先指定をネットワーク接続か或いはローカルエリア接続かを携帯端末３０内のアプリケーション４０にて選択するような画像形成システムについて説明したが、常にＩＰ情報と印刷イメージの印刷データとの両方を携帯端末３０に転送し、転送先の装置状態に応じて自動的に選択しても良い。この画像形成システムの例を実施例２として説明する。
【００８８】
実施例２の画像形成システムは、実施例１の図１〜図３と略同様の構成である。
【００８９】
（実施例２の動作）
【００９０】
図１４は、本発明の実施例２における印刷データの転送に利用するための印刷データ転送用ＮＦＣデータテーブルＤ３０〜Ｄ３２，Ｄ４０，Ｄ４３，Ｄ４４，Ｄ４５，Ｄ５０〜Ｄ５５を示す図である。この図１４は、実施例１の図５に対応している。
【００９１】
本実施例２の印刷データ転送用ＮＦＣデータテーブルでは、転送先が３つのネットワークプリンタ／ローカルプリンタ／自動転送のいずれか１つを選択できるようになっている。そのため、第１、第２の転送情報としての実施例１の転送モードＤ３１，Ｄ５１に代えて、転送モードＤ３１Ａ，Ｄ５１Ａが設けられている。
【００９２】
本実施例２の転送モードＤ３１Ａ，Ｄ５１Ａでは、「２：自動」がそれぞれ追加されている。
【００９３】
図１５は、本発明の実施例２における携帯端末３０内のアプリケーション４０の処理の際の画面遷移図である。この図１５は、実施例１の図７に対応している。
【００９４】
本実施例２の画面遷移図では、転送方式選択画面Ａ１０中に、「転送側で自動判別する」ための「自動」ボタンＡ１３が追加されている
【００９５】
図１６は、図１１中のステップＦ２３０（転送データ作成処理）における実施例２の詳細な処理を示すフローチャートである。図１６は、実施例１の図１２に対応している。
【００９６】
本実施例２の転送データ作成処理では、実施例１のステップＦ２３２（判定処理）に代えて、これとは異なるステップＦ２３２Ａ（判定処理）が設けられている。ステップＦ２３２Ａでは、転送先として、実施例１の２つのネットワークプリンタ／ローカルプリンタの他に、自動転送が追加され、３つのネットワークプリンタ／ローカルプリンタ／自動転送の内のいずれか１つを判定している。更に、転送先の判定結果が自動転送の場合の処理として、ステップＦ２３３Ａ，Ｆ２３４Ａ，Ｆ２３８Ａが追加されている。
【００９７】
ステップＦ２３２Ａの判定結果が自動の場合、新たに追加されたステップＦ２３３Ａにおいて、図１のＭＦＰ１０−１内のＮＦＣ制御部２２は、印刷中のジョブＩＤを取得し、ステップＦ２３４Ａにおいて、ＮＦＣ転送データ生成部２３を利用してネットワーク転送用データテーブルを作成する。更に、ステップＦ２３８Ａにおいて、ＮＦＣ制御部２２は、ＮＦＣ転送データ生成部２３を利用してローカル転送用のデータテーブルを作成し、実施例１のステップＦ２３５へ進む。その他は、実施例１の図１２のフローチャートと同様の処理が行われる。
【００９８】
図１７は、図１１中のステップＦ２５０（転送データ受信処理）における実施例２の詳細な処理を示すフローチャートである。図１７は、実施例１の図１３に対応している。
【００９９】
本実施例２の転送データ受信処理では、実施例１のステップＦ２５３（判定処理）に代えて、これとは異なるステップＦ２５３Ａ（判定処理）が設けられている。ステップＦ２５３Ａでは、転送方式として、実施例１の２つのネットワーク経由／ＮＦＣ経由の他に、自動転送が追加され、３つのネットワーク経由／ＮＦＣ経由／自動転送の内のいずれか１つを判定している。更に、転送方式の判定結果が自動転送の場合の処理として、新たなステップＦ２５９が追加されている。
【０１００】
ステップＦ２５３Ａの判定結果が自動転送の場合、新たに追加されたステップＦ２５９において、図１のＭＦＰ１０−１内のＮＦＣ制御部２２は、指定ＩＰの装置（ＭＦＰ１０）と通信が可能か否かを判定する。通信が可能な場合は（Ｙ）、実施例１のステップＦ２５４へ進み、通信が不可能な場合は（Ｎ）、実施例１のステップＦ２５６へ進む。その他は、実施例１の図１３のフローチャートと同様の処理が行われる。
【０１０１】
（実施例２の効果）
【０１０２】
本実施例２によれば、ＩＰ情報と印刷イメージの印刷データとの両方を携帯端末３０に転送し、転送先の装置状態に応じて自動的に選択できるようにしている。そのため、選択方法が増えて、ユーザの利便性がより向上する。
【実施例３】
【０１０３】
実施例２では、転送方式を選択するために、図１５において、転送側で自動判別するための「自動」ボタンＡ１３を追加している。これに対して、本実施例３では、転送方式を自動だけにしている。
【０１０４】
（実施例３の構成）
【０１０５】
本実施例３の画像形成システムは、実施例１の図１〜図３と略同様の構成である。
【０１０６】
（実施例３の動作）
【０１０７】
図１８は、本発明の実施例３における印刷データの転送に利用するための印刷データ転送用ＮＦＣデータテーブルＤ３０，Ｄ３２，Ｄ４０，Ｄ４３〜Ｄ４５，Ｄ５０，Ｄ５２〜Ｄ５５を示す図である。図１８は、実施例２の図１４に対応している。
【０１０８】
本実施例３の印刷データ転送用ＮＦＣデータテーブルＤ３０，Ｄ３２，Ｄ４０，Ｄ４３〜Ｄ４５，Ｄ５０，Ｄ５２〜Ｄ５５では、実施例２の図１４における転送モードの自動転送に関する印刷データ転送用ＮＦＣデータテーブルＤ３１Ａ，Ｄ５１Ａが削除されている。
【０１０９】
図１９は、本発明の実施例３における携帯端末３０内のアプリケーション４０の処理の際の画面遷移図である。この図１９は、実施例２の図１５に対応している。
【０１１０】
本実施例３の画面遷移図では、実施例２の転送方式選択画面Ａ１０が削除され、初期画面Ａ５及びアイドル中画面Ａ７の次に、部数指定選択画面Ａ２０へと画面が遷移する。
【０１１１】
図２０は、図１１中のステップＦ２３０（転送データ作成処理）における実施例３の詳細な処理を示すフローチャートである。図２０は、実施例２の図１６に対応している。
【０１１２】
本実施例３の転送データ作成処理では、実施例２の図１６における転送先を選択するためのステップＦ２３２Ａ，Ｆ２３３，Ｆ２３４，Ｆ２３８が削除され、転送先を自動転送で決めるような処理になっている。
【０１１３】
即ち、図２０のフローチャートにおいて、印刷動作停止処理のステップＦ２３１が終わると、転送先の判定がされずに、ステップＦ２３３Ａへ進む。ステップＦ２３３Ａにおいて、図１のＭＦＰ１０−１内のＮＦＣ制御部２２は、印刷中のジョブＩＤを取得し、ステップＦ２３４Ａにおいて、ＮＦＣ転送データ生成部２３を利用してネットワーク転送用データテーブルを作成する。更に、ステップＦ２３８Ａにおいて、ＮＦＣ制御部２２は、ＮＦＣ転送データ生成部２３を利用してローカル転送用のデータテーブルを作成し、実施例２のステップＦ２３５へ進む。その他は、実施例２の図１６のフローチャートと同様の処理が行われる。
【０１１４】
図２１は、図１１中のステップＦ２５０（転送データ受信処理）における実施例３の詳細な処理を示すフローチャートである。図２１は、実施例２の図１７に対応している。
【０１１５】
本実施例３の転送データ受信処理では、実施例２の図１７における転送方式を選択するための判定処理のステップＦ２５３Ａが削除されている。
【０１１６】
即ち、図２１のフローチャートにおいて、ＮＦＣデータ送信処理のステップＦ２５２が終了すると、転送方式の判定がされずに、ステップＦ２５９へ進む。ステップＦ２５９において、図１のＭＦＰ１０−１内のＮＦＣ制御部２２は、指定ＩＰの装置（ＭＦＰ１０）と通信が可能か否かを判定する。通信が可能な場合は（Ｙ）、実施例２のステップＦ２５４へ進み、通信が不可能な場合は（Ｎ）、実施例２のステップＦ２５６へ進む。その他は、実施例２の図１７のフローチャートと同様の処理が行われる。
【０１１７】
（実施例３の効果）
【０１１８】
本実施例３によれば、転送先の装置状態に応じて、その転送先が自動的に決まる。そのため、図１１中のステップＦ２３０（転送データ作成処理）及びステップＦ２５０（転送データ受信処理）の処理が簡単になり、更に、ユーザの操作が簡単になって、利便性がより向上する。
【０１１９】
（実施例１〜３の変形例）
【０１２０】
本発明は、上記実施例１〜３に限定されず、種々の利用形態や変形が可能である。この利用形態や変形例としては、例えば、次の（ａ）、（ｂ）のようなものがある。
【０１２１】
（ａ）  ＭＦＰ１０及び携帯端末３０の構成は、図１の構成に限定されず、他の構成に変更しても良い。
【０１２２】
（ｂ）  実施例１では、画像形成装置として、ＭＦＰを例に挙げたが、ファクシミリ、コピー機、プリンタ等にも利用可能である。
【符号の説明】
【０１２３】
１      ネットワーク
１０，１０−１，１０−２，１０−３      ＭＰＦ（画像形成装置）
１２      ＮＦＣ部（第１の近距離通信部）
１３      オペレーションパネル
１４      ＬＡＮ部（通信部）
２０      プリンタ部
２１      ＮＦＣデータ通信部
２２      ＮＦＣ制御部
２３      ＮＦＣ転送データ生成部
２４      印刷イメージ生成部（変換部）
２５      データ記憶部（格納部）
２６      データ受信部
２７      ジョブ管理部（管理部）
２８      印刷部
３０      携帯端末
３１      ＯＳ
３２      データ記憶部
３３      ＮＦＣ部（第２の近距離通信部）
３４      タッチパネル（表示操作部）
４０      アプリケーション
４１      ＮＦＣデータ通信部
４２      データ管理部
４３      画像入力データ取得部
４４      アプリケーション制御部
４５      画面生成部
【図１】
0006564717.tif 000002
【図２】
0006564717.tif 000003
【図３】
0006564717.tif 000004
【図４】
0006564717.tif 000005
【図５】
0006564717.tif 000006
【図６】
0006564717.tif 000007
【図７】
0006564717.tif 000008
【図８】
0006564717.tif 000009
【図９】
0006564717.tif 000010
【図１０】
0006564717.tif 000011
【図１１】
0006564717.tif 000012
【図１２】
0006564717.tif 000013
【図１３】
0006564717.tif 000014
【図１４】
0006564717.tif 000015
【図１５】
0006564717.tif 000016
【図１６】
0006564717.tif 000017
【図１７】
0006564717.tif 000018
【図１８】
0006564717.tif 000019
【図１９】
0006564717.tif 000020
【図２０】
0006564717.tif 000021
【図２１】
0006564717.tif 000022